(57)【特許請求の範囲】
【請求項１】
所定の入射面より入射した照明光を、その内部を伝搬させながら出射面より出射するようにしてなる導光板において、
前記出射面と対向する面には、
前記入射面から離れるにつれて前記出射面と対向する面に近づくように稜線を形成して交わる少なくとも１対の斜面を有する突起が複数形成され、
前記突起間に、微細な凹凸が形成され、
前記突起は、
前記稜線の延長線が前記入射面と直交するように配置されており、
前記導光板の内部を伝搬して前記１対の斜面の一方の斜面に入射した前記照明光を、前記一方の斜面で反射した後、他方の斜面で反射することにより、前記出射面の正面方向に向かって出射するように形成されており、
前記微細な凹凸は、
前記入射面と略垂直に交わる直線状の断面円弧形状の突条の繰り返しにより、前記導光板の内部を伝搬する前記照明光の前記入射面に平行な面内方向の広がりを小さくし、前記突起に入射する内部伝搬光の、前記入射面に平行な面内方向の広がりを小さくするように形成された
ことを特徴とする導光板。
【請求項２】
所定の入射面より入射した照明光を、その内部を伝搬させながら出射面より出射するようにしてなる導光板において、
前記出射面と対向する面には、
前記入射面から離れるにつれて前記出射面と対向する面に近づくように稜線を形成して交わる少なくとも１対の斜面を有する突起が複数形成され、
前記突起間に、微細な凹凸が形成され、
前記突起は、
前記稜線の延長線が前記入射面と直交するように配置されており、
前記導光板の内部を伝搬して前記１対の斜面の一方の斜面に入射した前記照明光を、前記一方の斜面で反射した後、他方の斜面で反射することにより、前記出射面の正面方向に向かって出射するように形成され、
前記微細な凹凸は、
前記入射面と略垂直に交わる直線状の断面Ｖ字形状の突条の繰り返しにより、前記導光板の内部を伝搬する前記照明光の前記入射面に平行な面内方向の広がりを小さくし、前記突起に入射する内部伝搬光の、前記入射面に平行な面内方向の広がりを小さくするように形成された
ことを特徴とする導光板。
【請求項３】
前記突起が、四角錐形状である
ことを特徴とする請求項１又は請求項２に記載の導光板。
【請求項４】
請求項１、請求項２又は請求項３に記載の導光板を使用した
ことを特徴とする面光源装置。
【請求項５】
請求項４に記載の面光源装置により液晶表示パネルを照明する
ことを特徴とする表示装置。
【発明の詳細な説明】
【０００１】
【発明の属する技術分野】
本発明は、導光板、面光源装置及び表示装置に関し、例えば出射光の指向性を補正するシート材を配置しなくても照明光を出射面の正面方向に出射できるように構成された面光源装置等に適用することができる。本発明は、入射面から離れるにつれて出射面と対向する面に近づくように稜線を形成して交わる少なくとも１対の斜面を有する突起を出射面と対向する面に複数形成し、これら突起間に微細な凹凸を形成することにより、出射光の指向性を補正するシート材を特に配置しなくても照明光を出射面の正面方向に出射できるように構成して、出射光の特性を種々に調整することができるようにする。
【０００２】
【従来の技術】
従来、液晶表示装置においては、面光源装置を用いて液晶表示パネルを照明することにより、明るい画面を表示するようになされている。
【０００３】
このような面光源装置においては、平板形状の透明部材である導光板の側面より入射する一次光源の照明光を導光板の出射面と裏面とで繰り返し反射して導光板の内部を伝搬させながら、臨界角以下の角度により導光板の出射面に入射する照明光を出射面より出射させ、これにより出射面の全面を発光面として機能させて面光源を構成するようになされている。
【０００４】
このような基本原理に係る面光源装置は、導光板の出射面、裏面等に照明光の出射を促す各種工夫が施されるものの、導光板の内部を伝搬する照明光のうち、臨界角以下の角度により出射面に入射する照明光を出射面から出射するものであることから、導光板から出射される照明光の指向性が、出射面の正面方向より導光板の内部における照明光の伝搬方向に傾いた特性となる。
【０００５】
このためこの種の構成に係る面光源装置においては、導光板の出射面に所定のシート材を配置し、このシート材により照明光の指向性を補正するようになされている。
【０００６】
【発明が解決しようとする課題】
ところで導光板から出射する照明光の指向性を補正するシート材の使用は、部品点数の増加による装置全体の複雑化を招くばかりか、装置の薄型化を図る上での妨げにもなるという点でも好ましくなく、またコスト的にも不利であったため、このようなシート材の使用点数を削減し得る面光源装置が切望されていた。
【０００７】
そこで本発明者は、この問題を解消すべく鋭意研究を重ねていった結果、導光板の出射面に照明光の指向性を補正する各種シート材を配置しなくても、その出射面の正面方向に照明光を出射できる導光板の構造を見出し、これを先に提案した（特願平１１−３８９７７号）。
【０００８】
ここで、この先の提案に係る導光板は、図６に示すように、第１の反射面と第２の反射面とを有し、かつこれら一対の反射面によって内部に谷が形成される突起を導光板の出射面と対向する面に複数形成し、導光板内を伝搬しながらこの突起に達した内部伝搬光が、これら第１又は第２の反射面のいずれか一方で反射された後、他方の反射面で連続的に反射され、主としてこの２回の反射によって内部伝搬光が導光板から出射していくようにしたものである。
【０００９】
このような構造の導光板は、個々の突起における第１及び第２の反射面の傾き具合や、複数形成された突起群の配列等を調整することにより、導光板から出射する照明光の出射方向を制御でき、この方向を導光板の出射面の正面方向に設定するのも容易となる。そして一次光源として冷陰極管の如き線状光源を用いた場合、又は発光ダイオードの如き点状光源を用いた場合のいずれの場合であっても、従来に比して十分な輝度の面光源を構成することが可能であった。
【００１０】
このような導光板において、出射光の特性を細かく調整することができれば、この種の導光板の使い勝手をさらに一段と向上できると考えられる。
【００１１】
本発明は以上の点を考慮してなされたもので、出射光の指向性を補正するシート材を特に配置しなくても照明光を出射面の正面方向に出射できるように構成して、出射光の特性を種々に調整することができる導光板、面光源装置及び表示装置を提案しようとするものである。
【００１２】
【課題を解決するための手段】
かかる課題を解決するため請求項１又は請求項２に係る発明においては、所定の入射面より入射した照明光を、その内部を伝搬させながら出射面より出射するようにしてなる導光板において、出射面と対向する面には、入射面から離れるにつれて出射面と対向する面に近づくように稜線を形成して交わる少なくとも１対の斜面を有する突起が複数形成され、突起間に、微細な凹凸が形成されるようにする。また突起が、稜線の延長線が前記入射面と直交するように配置されており、導光板の内部を伝搬して１対の斜面の一方の斜面に入射した照明光を、一方の斜面で反射した後、他方の斜面で反射することにより、出射面の正面方向に向かって出射するように形成され、微細な凹凸が、入射面と略垂直に交わる直線状の突条の繰り返しにより、内部を伝搬する前記照明光の前記入射面に平行な面内方向の広がりを小さくするように形成される。請求項１の発明では、この直線状の突条は、断面円弧形状の突条であり、請求項２の発明では、断面Ｖ字形状の突条である。
【００１３】
また請求項３に係る発明においては、請求項１又は請求項２の構成において、突起が、四角錐形状であるようにする。
【００１４】
また請求項４に係る発明においては、請求項１、請求項２又は請求項３に記載の導光板を使用して面光源装置を構成する。
【００１５】
また請求項５に係る発明においては、請求項４に記載の面光源装置により液晶表示パネルを照明する。
【００１６】
請求項１又は請求項２の構成によれば、所定の入射面より入射した照明光を、その内部を伝搬させながら出射面より出射するようにしてなる導光板において、出射面と対向する面に形成された１対の斜面における２回の反射によって導光板の内部を伝搬する照明光を出射面の方向に出射することができる。このとき突起間に、微細な凹凸を形成すれば、この凹凸の形状により、内部を伝搬する照明光の指向性（伝搬方向）を調整し、また突起の働き以外に、出射面からの出射を促すことができ、これらによりこの突起を種々に選定して出射光の特性を種々に調整することができる。
【００１７】
これにより請求項４の構成によれば、所望の特性による面光源装置を得ることができる。また請求項５の構成によれば、所望の特性による表示装置を得ることができる。
【００１８】
【発明の実施の形態】
以下、適宜図面を参照しながら本発明の実施の形態を詳述する。なお図面は、理解が容易となるように一部を極端に誇張して示す。
【００１９】
（１）第１の実施の形態
（１−１）第１の実施の形態の構成
図２は、本発明の第１の実施の形態に係る液晶表示装置を示す分解斜視図である。この液晶表示装置１１は、例えばパーソナルコンピュータに適用され、面光源装置１３により液晶表示パネル１２を背面から照明して画像を表示する。
【００２０】
ここで面光源装置１３は、線状光源による一次光源１４を側面に配置した導光板１５の背面に、反射シート１６を配置し、さらに導光板１５の出射面１５Ａ側に光拡散シート１７を配置して構成される。なおこの実施の形態において、一次光源１４は、蛍光ランプ１４Ａをリフレクター１４Ｂにより囲って形成される。
【００２１】
反射シート１６は、白色のシート材であり、導光板１５の裏面１５Ｂより漏れ出す照明光を反射して導光板１５に再入射させ、これにより照明光の利用効率を向上させる。
【００２２】
光拡散シート１７は、導光板１５の出射面１５Ａより出射される照明光を弱く散乱させて透過するシート材であり、この照明光の散乱により、後述するマイクロリフレクター等を目立たなくし、さらには導光板１５の傷等による異常発光が生じてしまった場合に、この異常発光を目立たなくする。また発光面の輝度の均一化が十分になされていないような場合であっても、導光板１５の出射面１５Ａより出射する照明光の輝度ムラを緩和し、さらには導光板１５の出射面１５Ａ側に光拡散シート１７を配置することで、導光板１５の出射面１５Ａの傷付きを防止する。
【００２３】
導光板１５は、例えばアクリル（ＰＭＭＡ樹脂等）、シクロオレフィン系ポリマー等のような透明樹脂を射出成形して作成された平板形状の透明部材である。導光板１５は、一次光源１４から出射される照明光を１つの側面である入射面１５Ｃより入射し、この照明光を内部で伝搬する。導光板１５は、出射面１５Ａが平坦な面により形成されるのに対し、裏面１５Ｂには同一形状による突起（以下、マイクロリフレクターと呼ぶ）が多数配置され、このマイクロリフレクターにより内部を伝搬する照明光を液晶表示パネル１２に向けて出射する。これにより面光源装置１３は、導光板１５の出射面１５Ａを発光面としてなる面光源を構成するようになされている。なお導光板１５は、裏面１５Ｂと出射面１５Ａとが平行となるように形成される。
【００２４】
図３は、このマイクロリフレクターの側面図（図３（Ａ））と、導光板１５の背面側より見て示すマイクロリフレクターの平面図（図３（Ｂ））である。マイクロリフレクター１９は、導光板１５の内部を伝搬する照明光Ｌを主として２回の反射により出射面１５Ａの正面方向に出射する１対の斜面１９Ａ及び１９Ｂと、これらの斜面１９Ａ及び１９Ｂに向かう照明光Ｌを遮らないように形成された１対の斜面１９Ｃ及び１９Ｄとを直接接続して、導光板１５の裏面１５Ｂ側に突出する四角錐形状の突起により構成される。
【００２５】
すなわちマイクロリフレクター１９において、斜面１９Ａ及び１９Ｂは、これらの斜面１９Ａ及び１９Ｂが交わる頂角が所定の角度を成すように形成される。さらに斜面１９Ａ及び１９Ｂは、徐々に深さが浅くなるＶ字形状の谷を形成するように、それぞれ平坦な面により形成されて直接接続される。斜面１９Ａ及び１９Ｂは、このような接続部である稜線１９Ｅを通り、かつ出射面１５Ａと垂直な面に面対称となるように形成される。これによりマイクロリフレクター１９は、入射面１５Ｃより離れるにつれて出射面１５Ａと対向する裏面１５Ｂに近づくように稜線１９Ｅを形成して交わる斜面１９Ａ、１９Ｂを有するようになされている。
【００２６】
マイクロリフレクター１９は、裏面１５Ｂ側より見て、この稜線１９Ｅの方向を中心にして所定の角度範囲で、この谷に向かって到来する照明光Ｌについては、この斜面１９Ａ（又は１９Ｂ）で反射した後、残る他方の斜面１９Ｂ（又は１９Ａ）で反射し、出射面１５Ａの正面方向に出射するようになされている。
【００２７】
これに対して斜面１９Ｃ及び１９Ｄは、斜面１９Ａ及び１９Ｂと同様にそれぞれ平坦な面により面対称に形成され、斜面１９Ａ及び１９Ｂにより形成される稜線１９Ｅと、これら斜面１９Ｃ及び１９Ｄにより形成される稜線１９Ｆとが、裏面１５Ｂ側より見た平面図にてほぼ直線となるように形成される。斜面１９Ｃ及び１９Ｄは、斜面１９Ａ及び１９Ｂで反射されて出射面１５Ａの正面方向に向かう照明光Ｌを、斜面１９Ａ及び１９Ｂに入射する前の段階で遮らないように、又は斜面１９Ｃ又は斜面１９Ｄで反射した照明光Ｌが好適な角度で斜面１９Ａ又は１９Ｂに入射するように所定の傾きにより形成される。
【００２８】
導光板１５は、図４に示すように、裏面１５Ｂ側より見た平面図において、この稜線１９Ｅの延長線がほぼ入射面１５Ｃと直交するように、また谷の浅くなる側が入射面より遠ざかる側となるように、裏面１５Ｂの各部位に応じてマイクロリフレクター１９の向きが設定される。
【００２９】
導光板１５は、出射面１５Ａ側より見て肉眼では知覚することが困難な程度に小型にマイクロリフレクター１９が形成される。さらに導光板１５は、各マイクロリフレクター１９が、同一の大きさで形成され、単位面積に占めるマイクロリフレクター１９の数が入射面１５Ｃ近傍より遠ざかるに従って増大するように、マイクロリフレクター１９が配置される。これにより導光板１５は、内部を伝搬する照明光の光量が低下する部位では、その分マイクロリフレクター１９の数を増大することによりマイクロリフレクター１９により照明光を出射する機能を増大し、出射面１５Ａの全面にわたってほぼ均一な光量により照明光を出射するようになされている。
【００３０】
さらに導光板１５は、マイクロリフレクター１９が不規則に配置され、これにより液晶表示パネル１２に照明光を供給して表示画面にモアレ縞が発生しないようになされている。
【００３１】
さらに導光板１５は、これらマイクロリフレクター１９間の面に微細な凹凸が作成され、この微細な凹凸により面光源装置としての出射光の特性が調整される。導光板１５は、この微細な凹凸が入射面１５Ｃとほぼ垂直に交わる直線状の溝の繰り返しにより形成される。
【００３２】
すなわちＡ−Ａ線により示す入射面１５Ｃにほぼ平行な面により切り取った断面図を図１に示すように、この溝は、大きな半径Ｒによる断面円弧形状の突条を所定周期により繰り返して形成される。なおここでこの実施の形態では、この半径Ｒが８〔ｍｍ〕に、繰り返しピッチＰが７０〔μｍ〕に設定される。これによりこの実施の形態では、このような溝が繰り返されてなる方向と溝の延長してなる方向との対比で、出射光の特性を調整するようになされている。
【００３３】
（１−２）第１の実施の形態の動作
以上の構成において、液晶表示装置１１においては（図２）、面光源装置１３から供給される照明光により液晶表示パネル１２が照明され、これにより液晶表示パネル１２に形成された画像がユーザーにより目視可能とされる。
【００３４】
このように液晶表示パネル１２の照明に供する照明光は、面光源装置１３において、一次光源１４から出射される照明光が入射面１５Ｃから導光板１５に入射し、出射面１５Ａと裏面１５Ｂとの間を繰り返し反射して導光板１５の内部を伝搬し、この伝搬の過程で、裏面１５Ｂに形成されたマイクロリフレクター１９により一部が反射されて光路が折り曲げられ、出射面１５Ａから出射される。
【００３５】
すなわち導光板１５の内部を伝搬する照明光は、その過程でマイクロリフレクター１９に入射し、その中で（図３）、出射面１５Ａから見て斜面１９Ａ及び１９Ｂによる稜線１９Ｅを中心とした所定角度範囲で１対の斜面１９Ａ及び１９Ｂに入射する照明光が、斜面１９Ａ及び１９Ｂで連続的に反射することにより、出射面１５Ａの正面方向に向かうように、これら斜面１９Ａと１９Ｂで光路が折り曲げられる。これにより面光源装置１３では、出射面１５Ａを発光面にしてなる面光源が構成され、各突起１９における第１及び第２の反射面１９Ａ、１９Ｂの傾き具合、複数形成された突起群の配列等を調整することにより、出射光の方向、指向等を制御することができる。
【００３６】
面光源装置１３では、このようにしてマイクロリフレクター１９の斜面１９Ａ及び１９Ｂにて照明光を反射して照明光の光路を折り曲げるようにして、これら斜面１９Ａ及び１９Ｂによる稜線１９Ｅの延長線が導光板１５の各部位で入射面１５Ｃとほぼ直交するように、かつ斜面１９Ａ及び１９Ｂにより形成される谷の浅くなる側が入射面１５Ｃより遠ざかる側となるように、マイクロリフレクター１９の向きが設定されていることにより、入射面１５Ｃ側より到来する照明光をこのように光路を折り曲げ可能な範囲で各マイクロリフレクター１９に効率良く入射させることができ、これにより効率良く照明光を出射して十分な輝度の面光源を構成することが可能となる。
【００３７】
また入射面１５Ｃより遠ざかって内部を伝搬する照明光の光量が少なくなる部位では、その分、マイクロリフレクター１９の数が多くなることにより、出射面１５Ａの各部位でほぼ等しい光量分布により照明光を出射することができ、これにより均一な光量分布により照明光を出射することができる。
【００３８】
このようにして内部を伝搬してマイクロリフレクター１９より出射されるにつき、導光板１５においては、マイクロリフレクター１９の間に微細な凹凸が作成されていることにより、この凹凸により内部を伝搬する照明光の指向性が変化し、場合によってはこの微細な凹凸からも照明光の出射が促され、これによりマイクロリフレクター１９の斜面によって決まる指向性等の出射光の特性をこのような微細な凹凸により調整することが可能となる。
【００３９】
すなわちこの実施の形態においては、大きな半径Ｒによる断面円弧形状の突条を所定周期により繰り返して、入射面１５Ｃとほぼ垂直に交わる直線状の溝の繰り返しによりこのような微細な凹凸が形成されていることにより、導光板１５においては、照明光が内部を伝搬して裏面１５Ｂで反射する毎に、微弱ながら徐々に、内部を伝搬する照明光の入射面１５Ｃに平行な面内方向の広がりを小さくすることができる。
【００４０】
これによりマイクロリフレクター１９の斜面１９Ａ、１９Ｂに入射する照明光の広がりを少ないものとすることができ、ほぼ斜面１９Ａ、１９Ｂの傾き等に依存した理想的な指向性により照明光を出射することができ、高い輝度レベルを確保することができる。
【００４１】
（１−３）第１の実施の形態の効果
以上の構成によれば、１対の斜面１９Ａ及び１９Ｂを有する突起であるマイクロリフレクター１９を裏面１５Ｂに多数配置するようにし、これらマイクロリフレクター１９間に微細な凹凸を形成することにより、面光源装置１３から出射される照明光の特性をこの微細な凹凸により調整することができる。
【００４２】
（２）第２の実施の形態
図５は、図１との対比により本発明の第２の実施の形態に係る表示装置に適用される面光源装置について、導光板を示す断面図である。この実施の形態に係る表示装置では、この導光板２５における裏面２５Ｂの構成が異なる点を除いて、第１の実施の形態に係る構成と同一に構成される。なおこの第２の実施の形態は、本願の参考例を示すものである。
【００４３】
ここでこの導光板２５においては、裏面２５Ｂに、第１の実施の形態に係る導光板１５と同様に、マイクロリフレクター１９が作成される。さらに導光板２５は、マイクロリフレクター１９間が、全体的な形状としてドーム状の凸形状又は凹形状により微細な凹凸が形成される。これにより導光板２５は、マイクロリフレクター１９間の面で導光板２５の内部を伝搬する照明光をある程度散乱させて、出射面２５Ａからの出射をある程度促すようになされている。
【００４４】
ここでこの微細な凹凸は、マイクロリフレクター１９に比して照明光の出射を促す機能が格段的に劣るように、すなわちマイクロリフレクター１９による出射光の指向性をさほど乱すことがないように、また出射面２５Ａ側より見てぎらつき感を感じ取ることができない程度に、全体的に見て、適度な粗さとなるように設定される。なお、このような微細な凹凸は、算術平均粗さＲａ０．０２〜３．０〔μｍ〕程度により設定される。なおこの算術平均粗さＲａは、ＪＩＳ−Ｂ０６０１  １９９４に規定するところによるものである。
【００４５】
またこのような微細な凹凸を構成するドーム形状は、出射面２５Ａより見て肉眼によっては個々の形状を見つけることが困難な大きさにより作成される。また液晶表示パネル１２の各画素との間の干渉によるモアレ縞の発生を防止する為に、不規則な配置により作成される。なおこの実施の形態では、個々のドームの大きさは、直径約２０〔μｍ〕により作成される。
【００４６】
具体的に、このような微細な凹凸形状は、例えば導光板を成形する金型又は導光板へ、微細なガラスビーズを空気流により衝突させて作成される。
【００４７】
図５に示す構成によれば、ドーム形状により微細な凹凸形状を作成するようにして、ぎらつき感が少なくなるように、出射光の特性を調整することができる。
【００４８】
（３）他の実施の形態
なお上述の第１の実施の形態においては、入射面とほぼ直交するように突条を配置して微細な凹凸を作成する場合について述べたが、本発明はこれに限らず、必要に応じて種々の配置により突条を形成して出射光の特性を調整することができる。因みに、例えば大画面の表示装置に適用する場合に、人間の視覚の特性を考慮して画面中央と周辺部とで出射光の指向性を調整することも求められ、このような場合には、導光板の中央を中心とした円形形状に溝が延長するように、突条を作成することが考えられる。また点光源である発光ダイオードを一次光源に適用する場合には、この点光源から放射状に溝が広がるように、突条を形成することが考えらる。
【００４９】
また上述の第１の実施の形態においては、半径Ｒを極めて大きな値に設定して突条を作成する場合について述べたが、本発明はこれに限らず、例えば断面円弧形状に代えて断面Ｖ字状の突条、断面円弧形状の溝等、種々の大きさ、形状により突条を作成する場合に広く適用することができる。
【００５１】
また上述の実施の形態においては、四角錐形状により突起を形成する場合について述べたが、本発明はこれに限らず、要は１対の斜面による主として２回の反射により照明光の出射方向を補正するようにし、さらに導光板の内部を伝搬する照明光を遮ることなくこれらの斜面に導くように突起を形成して上述の実施の形態と同様の効果を得ることができる。
【００５２】
また上述の実施の形態においては、１対の斜面を直接接続して突起を形成する場合について述べたが、本発明はこれに限らず、実用上十分な特性を確保できる場合には、１対の斜面を曲面により接続して突起を形成するようにしてもよい。なおこの場合、出射面側より見て、この曲面による稜線の延長する方向が導光板の各部位で入射面の方向となるように突起を配置することになる。
【００５３】
また上述の実施の形態においては、１対の斜面をそれぞれ平面により形成する場合について述べたが、本発明はこれに限らず、実用上十分な特性を確保できる場合には、成形の条件等を加味して曲面により斜面を形成してもよい。
【００５４】
また上述の実施の形態においては、マイクロリフレクターの数の調整により出射光量を均一化する場合について述べたが、本発明はこれに限らず、数の調整に代えて、又は数の調整に加えて、マイクロリフレクターの大きさ、形状の調整により光量分布を均一化してもよい。
【００５５】
また上述の実施の形態においては、導光板の１つの側面を入射面に設定する場合について述べたが、本発明はこれに限らず、例えば点光源により一次光源を構成する場合には、コーナーに入射面を配置するようにしてもよい。
【００５６】
また上述の実施の形態においては、導光板を一定の板厚により作成する場合について述べたが、本発明はこれに限らず、断面楔型により作成する場合にも広く適用することができる。
【００５７】
また上述の実施の形態においては、本発明をパーソナルコンピュータに適用する場合について述べたが、本発明はこれに限らず、種々の電子機器に広く適用することができる。
【００５８】
さらに上述の実施の形態においては、多数の突起を導光板の裏面に配置し、この突起間に微細な凹凸を作成するとの本発明の趣旨に沿って具体的な導光板、面光源装置、表示装置の構成を説明したものではあるが、本発明は上述の実施の形態に係る構成に限られるものではなく、本発明の効果を損なわない範囲で、又は本発明の効果より一層良好ならしむるために、面光源装置に関連する種々の技術を適用することができる。
【００５９】
【発明の効果】
上述のように本発明によれば、入射面から離れるにつれて出射面と対向する面に近づくように稜線を形成して交わる少なくとも１対の斜面を有する突起を出射面と対向する面に複数形成し、これら突起間に微細な凹凸を形成することにより、出射光の指向性を補正するシート材を特に配置しなくても照明光を出射面の正面方向に出射できるように構成して、出射光の特性を種々に調整することができる。
【図面の簡単な説明】
【図１】本発明の第１の実施の形態に係る液晶表示装置に適用される面光源装置の導光板を拡大して示す断面図である。
【図２】図１の導光板に係る面光源装置が適用される表示装置を示す分解斜視図である。
【図３】図１の導光板のマイクロリフレクターを示す側面図及び平面図である。
【図４】図１の導光板の裏面を示す平面図である。
【図５】図１との対比により本発明の第２の実施の形態に係る表示装置に適用される面光源装置の導光板を拡大して示す断面図である。
【図６】特顧平１１−３８９７７号に係る例の突起の説明に供する斜視図である。
【符号の説明】
１１……液晶表示装置、１２……液晶表示パネル、１３……面光源装置、１４……一次光源、１５、２５……導光板、１９……マイクロリフレクター、１９Ａ〜１９Ｄ……斜面
【図１】
0004225448.tif 000002
【図２】
0004225448.tif 000003
【図３】
0004225448.tif 000004
【図４】
0004225448.tif 000005
【図５】
0004225448.tif 000006
【図６】
0004225448.tif 000007